(57)【特許請求の範囲】
【請求項１】
グリップ（１１）の先端部（１２）に打撃によって自動車のガラス（４０）を破壊するための超硬合金製の尖頭状金具（１３）が横向きに突設された工具（１０）と、
該工具（１０）を自動車のドアポケット（３０）内面又は底面に縦向きにして又はセンターコンソールボックス（３１）内に取付け可能な大きさを有し、上記工具（１０）のグリップ（１１）の軸線方向に差し込まれたときに上記グリップ（１１）の先端部（１２）を受ける受け部（２４，２５）が形成され、上記工具（１０）の姿勢を保持するホルダー（２０）と、を備え、
上記工具（１０）のグリップ（１１）の側縁には工具係止用の係止部（１７）が形成される一方、
上記ホルダー（２０）は、上記工具（１０）のグリップ（１１）の後半部を突出させ得る大きさの矩形ボックス状をなし、その底部が上記受け部となっており、一端部に上記工具（１０）の差込み口（２３）が開口されるとともに、側面に長手方向に延びる係止溝（２１）が上記差込み口（２３）に連続して形成され、上記工具（１０）がその先端側から上記差込み口（２３）に差し込まれたときに上記受け部で上記工具（１０）の先端部（１２）が受けられるとともに、上記工具（１０）の係止部（１７）が係止溝（２１）に脱着可能に嵌入することによって上記工具（１０）の姿勢がホルダー（２０）に保持されるようになっていることを特徴とする緊急脱出用工具。
【請求項２】
グリップ（１１）の先端部（１２）に打撃によって自動車のガラス（４０）を破壊するための超硬合金製の尖頭状金具（１３）が横向きに突設された工具（１０）と、
該工具（１０）を自動車のドアポケット（３０）内面又は底面に縦向きにして又はセンターコンソールボックス（３１）内に取付け可能な大きさを有し、上記工具（１０）のグリップ（１１）の軸線方向に差し込まれたときに上記グリップ（１１）の先端部（１２）を受ける受け部（２４，２５）が形成され、上記工具（１０）の姿勢を保持するホルダー（２０）と、を備え、
上記ホルダー（２０）は、上記工具（１０）のグリップ（１１）の先端部（１２）を差込み得る側面凵字状の上記受け部（２４）を有する形状をなし、上記工具（１０）がその先端側から上記受け部（２４）内に差し込まれたときに上記受け部（２４）で上記工具（１０）の先端部（１２）が受けられることによって上記工具（１０）の姿勢がホルダー（２０）に保持されるようになっていることを特徴とする緊急脱出用工具。
【請求項３】
グリップ（１１）の先端部（１２）に打撃によって自動車のガラス（４０）を破壊するための超硬合金製の尖頭状金具（１３）が横向きに突設された工具（１０）と、
該工具（１０）を自動車のドアポケット（３０）内面又は底面に縦向きにして又はセンターコンソールボックス（３１）内に取付け可能な大きさを有し、上記工具（１０）のグリップ（１１）の軸線方向に差し込まれたときに上記グリップ（１１）の先端部（１２）を受ける受け部（２４，２５）が形成され、上記工具（１０）の姿勢を保持するホルダー（２０）と、を備え、
上記ホルダー（２０）はベース上面に棒状の受け部（２５）を形成した形状をなし、上記工具（１０）のグリップ（１１）先端部（１２）には上記棒状の受け部（２５）が嵌入し得る係止穴（１２Ａ）が穿設され、上記工具（１０）がその先端側から上記棒状の受け部（２５）に押し付けられたときに上記棒状の受け部（２５）が上記工具（１０）の先端部（１２）の係止穴（１２Ａ）に嵌入することによって上記工具（１０）の姿勢がホルダー（２０）に保持されるようになっていることを特徴とする緊急脱出用工具。
【請求項４】
上記グリップ（１１）の途中に切欠き溝（１４）が形成され、該切欠き溝（１４）内にシートベルト（４１）を切断するためのカッター刃（１５）が設けられた請求項１ないし３のいずれかに記載の緊急脱出用工具。
【発明の詳細な説明】
【技術分野】
【０００１】
この発明は緊急脱出用工具に関し、特にシートベルトが故障などによってロックされて
も容易に手が届く場所に保管でき、しかも急発進時や急制動時に工具が外れないようにし
た緊急脱出用工具に関する。
【背景技術】
【０００２】
例えば、交通事故の発生時、衝突の衝撃によって、乗員が前部座席、天井やドア等に激
しくたたきつけられ、あるいは車外に放り出されて堅いアスファルトにたたきつけられ、
後続車両にひかれ、最悪の場合は死亡事故につながるおそれがあることから、運手席だけ
でなく、助手席や後部座席についてもシートベルトの着用が義務づけられている。
【０００３】
他方、自動車の水没事故や車輛火災の発生時には、シートベルトのロック機構が衝撃に
よって故障してシートベルトが外れなくなったり、水圧や車体の損傷に起因してドアの開
放が困難になったりすることがあり、乗員が車内に閉じ込められて脱出できなくなるおそ
れがある。
【０００４】
そこで、緊急時に車両から迅速に脱出できるように、ドアガラスなどを破壊しシートベルトを切断する緊急脱出用工具を車室内に常備することが推奨されている。
【０００５】
例えば、グリップ先端部に重錘を横向きに固定し、重錘の先端部を尖らせる一方、グリ
ップにハサミを抜差し可能に内蔵するようにした緊急脱出用工具が提案されている（特許
文献１、特許文献２、特許文献３）。
【０００６】
また、グリップ先端部に重錘を横向きに固定し、重錘の先端部を尖らせる一方、グリッ
プの途中に切欠き溝を形成し、切欠き溝内にカッター刃を埋め込むようにした緊急脱出用
工具が提案されている（特許文献４、特許文献５）。
【０００７】
従来の緊急脱出用工具は重錘の先端を尖らせ、重錘の重さを利用した衝撃力によってドアガラスを割るようにしていたが、ドアガラスには強化ガラスが用いられ、尖った重錘を激しく叩きつけても割れにくく、重錘を重くして衝撃力を増大させることによってドアガラスを破壊することが行われている。
【０００８】
ところで、緊急脱出用工具は自動車に予め装備される標準品ではなく、オプションとし
て後付けされるものであるので、車室内に保管場所を確保しなければならない。例えば、
底面の周囲に縦壁面を形成して工具を脱着可能に嵌め込む構造のホルダーを用い、足元の
フロアマット上にホルダーを両面粘着テープなどによって横置きに貼り付け、工具を嵌め
込んで保管するようにした方法（横置き保管方法）が提案されている。
【０００９】
また、車室内インストルメントパネルの収納ボックス内の作業穴を塞ぐカバーに、緊急
脱出用ハンマーを形成し、緊急脱出用ハンマーを保管するようにした方法も提案されてい
る（特許文献６）。
【先行技術文献】
【特許文献】
【００１０】
【特許文献１】特開平０７−２５１３８３号公報
【特許文献２】特開平０６−１７９１７９号公報
【特許文献３】実開平０５−１２０８３号公報
【特許文献４】実用新案登録第３０８４７９２号公報
【特許文献５】実用新案登録第３０４５７８０号公報
【特許文献６】特開２０００−３８０９３号公報
【発明の開示】
【発明が解決しようとする課題】
【００１１】
しかし、上述の横置き保管方法では急制動時や急発進時に工具がホルダーから外れて乗
員の足に衝突し、怪我をさせるおそれがあるばかりでなく、シートベルトが故障などによ
ってロックされてしまうと、足元の工具に手が届かないおそれがあった。
【００１２】
また、特許文献６記載の保管方法では急制動時や急発進時にハンマーが外れて転がり出
るおそれはないものの、シートベルトが故障などによってロックされてしまうと、収納ボックス内に手が届かず、緊急脱出用ハンマーを取り出すことができないおそれがあった。
【００１３】
本発明はかかる問題点に鑑み、シートベルトが故障などによってロックされても容易に
手が届く場所に保管でき、しかも急発進時や急制動時に工具が外れないようにした緊急脱
出用工具を提供することを課題とする。
【課題を解決するための手段】
【００１４】
そこで、本発明に係る緊急脱出用工具は、グリップの先端部に打撃によって自動車のガ
ラスを破壊するための超硬合金製の尖頭状金具が横向きに突設された工具と、該工具を自
動車のドアポケット内面又は底面に縦向きにして又はセンターコンソールボックス内に取付け可能な大きさを有し、上記工具のグリップの軸線方向に差し込まれたときに上記グリップの先端部を受ける受け部が形成され、上記工具の姿勢を保持するホルダーと、を備
えたことを特徴とする。
【００１５】
本発明の特徴の１つはホルダーを自動車のドアポケット内面に縦向きに、あるいセンタ
ーコンソールボックス内に（縦向き又は斜め向きに）両面粘着テープなどによって取り付
け、工具を差込み口からホルダー内に差し込み、工具グリップの後端部をドアポケットか
ら突設させ、あるいはセンターコンソールボックスを開いたときに工具を引き抜くことが
できるようにした点にある。
【００１６】
これにより、ロック機構が故障してシートベルトがロックされても、ドアポケットやセ
ンターコンソールボックスは運転者や乗員の近くにあり、手を伸ばせば、ドアポケットか
ら突き出た工具のグリップに手が届くので、工具をホルダーから引き抜いて自動車のガラ
ス、例えばドアのガラスなどを打撃して破壊することができる。
【００１７】
また、ホルダーをドアポケット内に縦向きにしてあるいはセンターコンソールボックス内に設けているので、急発進や急制動によって工具に大きな衝撃が加わっても工具がホルダーやセンターコンソールボックスから抜け出ることはなく、足に衝突して怪我をさせるおそれもない。
【００１８】
ホルダーの形状はグリップ軸線方向に差し込まれた工具のグリップ先端部を受けて保持
できる形状であれば、各種の形状を採用できるが、スリットを適宜形成して強度を確保し
つつ軽量化を図るようにしてもよい。
【００１９】
具体的には、工具のグリップの側縁には工具係止用の係止部を形成する一方、ホルダー
は、工具のグリップの後半部を突出させ得る大きさの矩形ボックス状をなし、その底部を
上記受け部となし、一端部に工具の差込み口が開口されるとともに、側面に長手方向に延
びる係止溝を差込み口に連続して形成され、工具をその先端側から差込み口に差し込んだ
ときに受け部で工具の先端部を受けるとともに、工具の係止部を係止溝に脱着可能に嵌入
させることによって工具の姿勢をホルダーに保持するように構成することができる。
【００２０】
また、ホルダーは、工具のグリップの先端部を差込み得る側面凵字状の受け部を有する
形状となし、工具をその先端側から受け部内に差し込んだときに受け部で工具の先端部を
受けることによって工具の姿勢をホルダーに保持するように構成できる。
【００２１】
さらに、ホルダーはベース上面に棒状の受け部を形成した形状となし、工具のグリップ
先端部には棒状の受け部が嵌入し得る係止穴を穿設し、工具がその先端側から棒状の受け
部に押し付けられたときに棒状の受け部を工具の先端部の係止穴に嵌入させることによっ
て工具の姿勢をホルダーに保持するように構成できる。
【００２２】
また、ホルダーの材料は特に限定されず、例えばプラスチック材料を用いて製造するこ
とができる。さらに、グリップの途中に切欠き溝を形成し、切欠き溝内にカッター刃を設
け、緊急時にロックされたシートベルトを切断できるように構成するのがよい。
【００２３】
また、本発明によれば、グリップの先端部に打撃によって自動車のガラスを破壊するた
めの超硬合金製の尖頭状金具が横向きに突設された工具と、該工具のグリップの軸線方向
に差し込まれたときに上記グリップの先端部を受ける受け部が形成され、上記工具の姿勢
を保持するホルダーとを備えた緊急脱出用工具を自動車に装備するようにした構造であっ
て、上記ホルダーが自動車のドアポケット内面又は底面に縦向きに取付けられ、上記ホル
ダーに保持された工具のグリップの後端部がドアポケットから突設されていることを特徴
とする緊急脱出用工具の取付け構造を提供することができる。
【００２４】
また、本発明によれば、グリップの先端部に打撃によって自動車のガラスを破壊するた
めの超硬合金製の尖頭状金具が横向きに突設された工具と、該工具のグリップの軸線方向
に差し込まれたときに上記グリップの先端部を受ける受け部が形成され、上記工具の姿勢
を保持するホルダーと、から構成される緊急脱出用工具を自動車に装備するようにした構
造であって、上記ホルダーが自動車のセンターコンソールボックス内に縦向き又は斜め向
きに取付けられ、上記センターコンソールボックスを開いたときに上記ホルダーに保持さ
れた工具のグリップを引き抜き可能となっていることを特徴とする緊急脱出用工具の取付
け構造を提供することができる。
【図面の簡単な説明】
【００２５】
【図１】本発明に係る緊急脱出用工具の好ましい実施形態の全体構成を示す概略斜視図である。
【図２】上記実施形態を示す側面図である。
【図３】上記実施形態におけるドアポケットへの装着例を示す図である。
【図４】上記実施形態のシートベルト切断時の状態を示す図である。
【図５】上記実施形態のガラス破壊時の状態を示す図である。
【図６】第２の実施形態を示す図である。
【図７】上記実施形態におけるホルダーを示す断面構成図である。
【図８】第３の実施形態を示す図である。
【図９】上記実施形態におけるセンターコンソールボックスへの装着例を示す図である。
【発明を実施するための形態】
【００２６】
以下、本発明を図面に示す具体例に基づいて詳細に説明する。図１ないし図５は本発明
に係る緊急脱出用工具の好ましい実施形態を示す。図において、緊急脱出用工具は工具１
０とホルダー２０とから構成される。工具１０ではグリップ１１の先端部１２に円柱状の
重錘が横向きに内蔵され、重錘の先端には超硬合金製の尖頭状スタッド１３が固定されて
グリップ１１の先端部１２から突設されている。
【００２７】
また、グリップ１１の側縁には切欠き溝１４が斜め向きに形成され、切欠き溝１４内に
はカッター刃１５が内蔵され、又切欠き溝１４の外側部分（係止部）１７は長手方向に延
び、端部には突起（係止部）１６が形成されている。
【００２８】
ホルダー２０はプラスチック材料を用いて矩形ボックス状に形成され、その底部は工具
１０のグリップ１１の先端部１２を受けて挟持することによって保持する受け部を構成し
ており、又ホルダー２０の一端部には工具１０の差込み口２３が形成され、ホルダー２０
の両側面には係止溝２１が差込み口２３に連続して長手方向に延びて形成され、又ホルダ
ー２０の背面には取付けプレート２２が一定に形成されている。
【００２９】
緊急脱出用工具を自動車に装備する場合、ホルダー２０の取付けプレート２２を両面粘
着テープや接着剤などで自動車のドアポケット３０の内面に粘着又は接着して縦向きにし
て取り付け（ドアポケット３０が浅い場合にはホルダー２０の底面をドアポケットの底面
に取り付けるようにしてもよい）、ホルダー２０の差込み口２３からホルダー２０内に工
具１０のグリップ１１の先端部１２を差し込み、グリップ１１の切欠き溝１４の突起１６
をホルダー２０の外側面に接触させた状態で、外側部分１７を係止溝２１に嵌入させ、図
３の（ａ）又は（ｂ）に示されるように、工具１０のグリップ１１の後端部をドアポケッ
ト３０から突き出させる。
【００３０】
ホルダー２０には左右両側面に係止溝２１を形成しているので、左側のドアポケットで
あっても、又右側のドアポケットであっても、ボルダー２０をドアポケットの内面又は底
面に取り付けることができる。
【００３１】
事故発生時にシートベルト４１がロックされた場合、乗員又は運転者はドアポケット３
０から突き出た工具１０を手で握り、ホルダー２０から引き抜き、図４に示されるように
、シートベルト４１を工具１０の切欠き溝１４に引っ掛け、シートベルト４１を切欠き溝
１４に沿ってスライドさせるように工具１０を下方に引っ張ると、カッター刃１５でシー
トベルト４１を切断することができる。
【００３２】
また、水没などによってドアが開かない場合、手に持った工具１０の超硬合金製の尖頭
状スタッド１３を例えばドアのガラス４０に叩きつけると、図５に示されるように、ドアのガラス４０に多数の細かなクラックが入り、破壊することができる。
【００３３】
図６及び図７は第２の実施形態を示し、図において図１及び図２と同一符号は同一又は
相当部分を示す。本例ではホルダー２０は、工具１０のグリップ１１の先端部１２を差込
み得る側面凵字状の受け部２４を有し、受け部２４の一方の壁面を他方に比較して長くし
た形状に形成され、又受け部２４には両側に段部が形成されている。
【００３４】
緊急脱出用工具を自動車に装備する場合、ホルダー２０の長尺の壁面を両面粘着テープ
や接着剤などで自動車のドアポケット内面に粘着又は接着して縦向きにして取り付け（ド
アポケット３０が浅い場合にはホルダー２０の底面をドアポケットの底面に取り付けるよ
うにしてもよい）、ホルダー２０内に工具１０のグリップ１１の先端部１２を差し込み、
受け部２４に嵌め込むと、工具１０をその縦向き姿勢に保持することができ、このように
ホルダー２０は上記第１の実施形態の矩形ボックス形状と異なる形状を採用することがで
きる。
【００３５】
図８は第３の実施形態を示し、図１及び図２と同一符号は同一又は相当部分を示す。本
例ではホルダー２０をベース上に棒状の受け部２５を形成した形状に形成する一方、工具
１０のグリップ１１の先端部１２に受け部２５が嵌入し得る係止穴１２Ａを穿設するよう
にしている。
【００３６】
緊急脱出用工具を自動車に装備する場合、ホルダー２０のベースを両面粘着テープや接
着剤などで自動車のセンターコンソールボックス３１内面に粘着又は接着し、ホルダー２
０に工具１０のグリップ１１の先端部１２を斜め向きに押し付け、その係止穴１２Ａを棒
状の受け部２４に嵌入させると、工具１０を斜め向き姿勢に保持することができ、このよ
うにホルダー２０は上記第１の実施形態の矩形ボックス形状と異なる形状を採用すること
もできる。
【符号の説明】
【００３７】
１０      工具
１１      グリップ
１２      先端部
１２Ａ    係止穴
１３      尖頭状スタッド
１４      切欠き溝
１５      カッター刃
１６      突起（係止部）
１７      外側部分（係止部）
２０      ホルダー
２１      係止溝
２３      差込み口
３０      ドアポケット
３１      センターコンソールボックス
４０      ドアガラス
４１      シートベルト
【図１】
0005773778.tif 000002
【図２】
0005773778.tif 000003
【図３】
0005773778.tif 000004
【図４】
0005773778.tif 000005
【図５】
0005773778.tif 000006
【図６】
0005773778.tif 000007
【図７】
0005773778.tif 000008
【図８】
0005773778.tif 000009
【図９】
0005773778.tif 000010